(57)【要約】  【課題】ガスグリルや電気オーブンで魚や餅を焼いた時、こびり付いた食物を剥がし取る時は手間隙が掛かっていた、その際に剥がし残りや型崩れが起こっていた、またガスグリルや電気オーブンの出し入れする狭い窓口で、箸で掴み難い食物の場合い出し入れする時にも型崩れや掴み落としが起こっていた。  【解決手段】本発明は、２枚の網を利用する、１枚目の網は焼き網として使い、２枚目の網は網皿として使う、網皿は焼き網の下部に装着し、網皿を持ち上げると焼き網と交差するので焼かれた食物が網皿の上に救い上がって乗る、こびり付いた食物の剥がし取りが一括で出来るので、手間隙を掛けてひとつひとつ剥がす事もなく型崩れも起こり難い、また網皿は取り外しが出来るので網皿に食物を乗せたまま出し入れすると、箸を使った場合に起る掴み落としや型崩れが防止される。  【選択図】図１
2009225931.tif 000002
【特許請求の範囲】
【請求項１】
ガスグリルまたは電気オーブンに使われる網基材で、２枚の網を上部と下部に装着し網同士が当らないように交差させ、こびり付いて剥し難い食物を下部に装着した網で救い上げて剥がし取る、その救い上げた状態で網の取り外しができる、１枚目の網は焼き網として使用する、２枚目の網は剥がし取りとして、また網皿としても使用する、網皿付き焼き網基材。
【請求項２】
網皿の網目の形状として、焼き網の網目の近い位置で交差できるように網皿の網目を装着する、また網皿を救い上げたとき網皿の角度が水平になるよう網皿の後部は前部より低い位置に装着する、網皿付き焼き網基材。
【発明の詳細な説明】
【技術分野】
【０００１】
この発明は、魚や餅などを網焼きした時こびり付いて剥し難い食物を、２枚１組の網を交差させることで剥す機能を持ち、箸では掴み難い食物などは網の上に乗せて出し入れが出来る網皿付き焼き網基材である。
【背景技術】
【０００２】
焼き網でこびり付いた食物を、箸を使ってひとつひとつを剥がしても上手に剥がし取らないと型崩れが起こるうえ手間隙も掛かった、また焼き上がった食物を食器等に移動する時も箸では掴み難い食べ物の場合い、無理に掴もうとすると型崩れが起こったり落したりしていた、またガスグリルや電気オーブンの食物を出し入れする窓口は狭く、箸を使って出し入れする時に食物が掴み難く不都合を感じる場合があった。
【発明の開示】
【発明が解決しようとする課題】
【０００３】
焼き網でこびり付いた食物を、網皿を持ち上げることで手間隙の掛からないよう一括で剥ぎ取れるようにする、また箸で掴み難い食物を無理に強く掴むとその部分だけ力が集中するので型崩れや掴み落としの原因になっていたので箸を使用しないでも食物の出し入れを出来るようにする。
【課題を解決するための手段】
【０００４】
本発明は、上下に重ね置いた２枚の網の内の、下部に装着した網皿を持ち上げると、こびり付いた食物が網皿で救い上げられ一括で剥ぎ取れる、また網皿は持ち上げた時に取外しが出来るので食物の出し入れが網皿で可能になる。  
【発明の効果】
【０００５】
１枚目の網の目的は焼き網として使用する、２枚目の網の目的は網皿として使用する、食物がこびり付いた時、箸などを使わないでも網皿を持ち上げることで、一括で取れる、その為ひとつひとつ取る手間が掛からず型崩れも起こり難い、また網皿の上に食物を乗せて出し入れするので箸で掴んだ時に起こる型崩れや掴み落としがない。
【発明を実施するための最良の形態】
【０００６】
以下、本発明の実施例について説明する。
ガスグリルの場合、焼き網を止め具で固定させてトレイの上に装着する、網皿の前部に掛け具を作る、トレイまたは焼き網に網皿を掛ける掛け止め具を作る、その部分に網皿の掛け具で掛ける、掛け具を軸にして網を上下に動けるようにする、網皿は掛け止めに掛けただけなので簡単に取り外せるようにする、焼き網との間を網皿が上下に交差しても当らない形状の網目にするが焼き網と網皿の網目の距離はこびり付いた食物を剥ぎ取りやすくする為に網目同士を近づける、網皿を持ち上げた時、食物が傾いたり落ちたりしないよう網皿の後部は前部より低い位置に装着し、持ち上げたときの角度が水平になるようにする、また網皿の後部の熱の当り難い部分に持ち手を装着する。
【図面の簡単な説明】
【０００７】
【図１】ガスグリルの中のトレイに装着した焼き網と網皿の斜視図である。
【図２】焼き網に網皿を装着した断面図である。
【図３】ガスグリルの中のトレイに装着した焼き網と網皿の上面図である。
【図４】網目が縦型の焼き網と網皿の斜視図である。
【符号の説明】
【０００８】
１、ガスグリル用のトレイ
２、ガスグリル用の焼き網を固定する止め具
３、ガスグリル用の網皿の掛け具を掛ける掛け止め具
４、ガスグリル用の焼き網
５、ガスグリル用の網皿
６、ガスグリル用の網皿の掛け具
７、ガスグリル用の網皿の持ち手
８、焼き網に装着した網皿の掛け具を掛ける止め具
９、縦型網目の網皿
１０、縦型網目の網皿の持ち手
１１、縦型網目の網皿の掛け具
１２、縦型網目の焼き網
１３、縦型網目の焼き網に装着した網皿を掛ける止め具
【図１】
2009225931.tif 000003
【図２】
2009225931.tif 000004
【図３】
2009225931.tif 000005
【図４】
2009225931.tif 000006
【手続補正書】
【提出日】平成20年9月10日(2008.9.10)
【手続補正１】
【補正対象書類名】特許請求の範囲
【補正対象項目名】全文
【補正方法】変更
【補正の内容】
【特許請求の範囲】
【請求項１】
２枚の網を上部と下部に装着し、網同士が当らないように交差させて剥がし取る、１枚目の上部の網は焼き網として使用、２枚目の下部の網は剥がし取りとして、また網皿として使用する、網皿の後部は前部より低い位置に装着し、網皿の取外しが出来る、網皿付き網基材。
【手続補正書】
【提出日】平成20年12月15日(2008.12.15)
【手続補正１】
【補正対象書類名】特許請求の範囲
【補正対象項目名】全文
【補正方法】変更
【補正の内容】
【特許請求の範囲】
【請求項１】
２枚の網を上部と下部に交差可能に重ね置いて装着し、下部の網を軸に掛けることにより、軸からなる網を持ち上げた時の角度が水平になる動きとして、後部は前部より低い位置に装着されている、上部の網を焼き網用、下部の網を食物の剥がし取りとして、また簡単に取外せることで出し入れ用とした網基材。
【手続補正３】
【補正対象書類名】明細書
【補正対象項目名】０００１
【補正方法】変更
【補正の内容】
【０００１】
この発明は、上下２枚の網を交差させることにより、網で焼いた食物を網で剥がし取る網基材に関するものである。
【手続補正４】
【補正対象書類名】明細書
【補正対象項目名】０００２
【補正方法】変更
【補正の内容】
【０００２】
焼き網で調理した食物を箸等で剥がし取ろうとすると、剥がし残しや型崩れや掴み落しが起こっていた。
【手続補正５】
【補正対象書類名】明細書
【補正対象項目名】０００３
【補正方法】変更
【補正の内容】
【０００３】
焼き網で調理した食物を、焼き網から剥がし取るときに剥がし残しや型崩れや掴み落としが起こると、網基材の掃除や、食物としての不都合を感じる場合があった。
【手続補正６】
【補正対象書類名】明細書
【補正対象項目名】０００４
【補正方法】変更
【補正の内容】
【０００４】
２枚の網を上部と下部に交差可能に重ね置きに装着し、下部の網は掛け止め具を軸にして持ち上げた時の角度が水平になるよう、下部の網の後部は前部より低い位置に装着されていることで、軸からなる下部の網の持ち上げた動きを特徴としている。
【手続補正７】
【補正対象書類名】明細書
【補正対象項目名】０００５
【補正方法】変更
【補正の内容】
【０００５】
軸からなる下部の網の持ち上げた動きは、焼き網にこびり付いた食物を一括で剥ぎとり易く、持ち上げた時の角度が水平だと食物が網から落ちることがない。
【手続補正８】
【補正対象書類名】明細書
【補正対象項目名】０００６
【補正方法】変更
【補正の内容】
【０００６】
焼き網（４）をガスグリル用のトレイ（１）の止め具（２）で装着する。
網（５）を掛け具（６）によって、掛け止め具（３）に掛ける。
網（５）を持ち上げる網の持ち手（７）を装着する。
【手続補正９】
【補正対象書類名】明細書
【補正対象項目名】０００７
【補正方法】変更
【補正の内容】
【０００７】
【図１】ガスグリルのトレイに装着した焼き網と網の斜視図である。
【図２】焼き網に網を装着した断面図である。
【図３】ガスグリルのトレイに装着した焼き網と網の上面図である
【手続補正１０】
【補正対象書類名】明細書
【補正対象項目名】０００８
【補正方法】変更
【補正の内容】
【０００８】
１、ガスグリル用のトレイ    ２、焼き網を固定する止め具    ３、掛け止め具と軸
４、焼き網                  ５、網                        ６、掛け具
７、網の持ち手
【手続補正１１】
【補正対象書類名】図面
【補正対象項目名】全図
【補正方法】変更
【補正の内容】
【図１】
2009225931.tif 000007
【図２】
2009225931.tif 000008
【図３】
2009225931.tif 000009
【手続補正書】
【提出日】平成21年3月4日(2009.3.4)
【手続補正１】
【補正対象書類名】特許請求の範囲
【補正対象項目名】全文
【補正方法】変更
【補正の内容】
【特許請求の範囲】
【請求項１】
焼き網に、交差可能に掛置きして使用される可動網であって、焼き網の上方に心棒となるフレーム状の軸を掛け止め具として設け、可動網に焼き網部との着脱自在で部分回転動作を可能とした形状の掛け具を設け、掛け止め具に掛置きした可動網は掛け具側を上方にして下方に向かう高低差による傾斜形状で焼き網に装着され、焼き網の網目の間に可動網の網目を挿入させることを特徴とした網基材。
【手続補正２】
【補正対象書類名】明細書
【補正対象項目名】０００１
【補正方法】変更
【補正の内容】
【０００１】
この発明は、上下２枚の網を交差させることにより、焼き網で調理した食物を可動網で順次一括で剥がし取り、箸では掴み難い調理物などを可動網の上に載せて出し入れが出来る網基材に関するものである。
【手続補正３】
【補正対象書類名】明細書
【補正対象項目名】０００４
【補正方法】変更
【補正の内容】
【０００４】
上下２枚の網を上部に既設の焼き網（４）、下部に可動網（５）を焼き網の網目の間に可動網の網目を交差可能に挿入する。
焼き網及び可動網の間口方向の端部の末端を後部とし、奥行き方向の端部の先端を前部とし、該前部の位置の上方に断面円形状のフレームで心棒となる軸を掛け止め具（３）として設ける。
可動網の前部に断面円弧型形状の掛け具（６）を設け、双方の形状の係合いから、着脱自在な掛置きと部分回転を可能とする。
可動網の掛置きされている形状は、前部の掛置部を上方にして、後部を下方に向かう高低差による傾斜形状である。
可動網の傾斜装着方法として、焼き網が奥行き方向に向かって左右に網線の設けている形状を横網とし、可動網は奥行き方向に向かって左右両側の端縁フレームの断面を山部（凸）底部（凹）の波状型形状とし、該端縁フレームの前部から後部に向かって底部（凹）のみを順次深く傾斜に形成していく
【図２】。    可動網の左右の幅は焼き網の左右の幅よりやや狭くし
【図３】、焼き網の横線の各１本ずつに可動網の端縁フレームの山部（凸）の頂点で掛置きすることで、可動網の端縁フレームは水平に装着
【図２】されるが、該可動網の底部（凹）は順次深く傾斜に形成されており、底部（凹）に左右の横線を設けることで可動網は傾斜装着となる、また該可動網の後部を持ち上げたとき、焼き網の横線の両間の近接で交差可能な位置に可動網の横線を設ける。
【手続補正４】
【補正対象書類名】明細書
【補正対象項目名】０００６
【補正方法】変更
【補正の内容】
【０００６】
以下、本発明の実施例を図面に基づいて説明する。
既設焼き網の網目の間に可動網の網目を挿入させている。
ガスグリル用のトレイ（１）に、焼き網を（４）止め具（２）で固定する。
ガスグリル用のトレイの前部の上方に、心棒となる断面円形状のフレームの軸を掛け止め具（３）として設ける。
可動網の前部に掛け止め具との着脱自在で部分回転動作を可能とした断面円弧型形状の掛け具（６）を設ける。
可動網の掛置きされている形状は、前部の掛置部を上方にして、後部を下方に向かう高低差による傾斜形状である。
可動網の傾斜装着方法として、焼き網が奥行き方向に向かって左右に網線の設けている形状を横網とし、可動網は奥行き方向に向かって左右両側の端縁フレームの断面を山部（凸）底部（凹）の波状型形状とし、該端縁フレームの前部から後部に向かって底部（凹）のみを順次深く傾斜に形成していく
【図２】。    可動網の左右の幅は焼き網の左右の幅よりやや狭くし
【図３】、焼き網の横線の各１本ずつに可動網の端縁フレームの山部（凸）の頂点で掛置きすることで可動網の端縁フレームは水平に装着
【図２】されるが、該可動網の底部（凹）は順次深く傾斜に形成されており、底部（凹）に左右の横線を設けることで可動網は傾斜装着となる、また該可動網の後部を持ち上げたとき、焼き網の横線の両間の近接で交差可能な位置に可動網の横線を設ける。              本発明は、以上のような構造でこれを使用するときは、魚などの調理物を可動網に載せ、掛け止め具に掛置きすると自動的に焼き網に載せることとなる。    加熱後、焼き網にこびり付いた魚などの調理した食物を、可動網の持ち手で持ち上げると部分回転動作から順次一括で剥がし取れる。    持ち上げると可動網は水平の状態を保つことを可能としており、こぼれ落ちることもなく、そのまま可動網で調理した食物を運び出せばいい。
【手続補正５】
【補正対象書類名】明細書
【補正対象項目名】０００８
【補正方法】変更
【補正の内容】
【０００８】
１、ガスグリル用のトレイ
２、止め具
３、断面円形状のフレームで軸となる掛け止め具
４、焼き網
５、可動網
６、断面円弧型形状の掛け具
７、可動網の持ち手